(57)【要約】【課題】従来複数の人員と手間が掛かった可動障子の建込みを省力化かつ容易化するとともに、縦枠断面形状の異なる種々の上げ下げ窓に対し対応可能とし汎用性のある振止め構造とする。【解決手段】可動障子３の下端側両側部にそれぞれ、側方に突出して吊索係止部材６を設けるとともに、前記吊索係止部材６は、前記可動障子３に固定されるロッド棒１０と、このロッド棒１０の先端に固定されるとともに、前記縦枠２Ａ、２Ｂに形成された縦溝２ａ、２ｂ内に挿入されるワイヤーフック部材１１と、前記可動障子３の建込み時には前記ロッド棒に沿ってスライド可能な状態とされ、かつ前記可動障子３のセット状態では所定位置に固定され、該可動障子３の左右方向及び室内外方向の振止めを成す振止めシュー１２とから構成する。【選択図】  図４
2004232217.tif 000002
【特許請求の範囲】
【請求項１】
上枠、下枠及び内面側に部材長手方向に沿って縦溝が形成された両縦枠からなる窓枠の内部に、上下方向に開閉可能な可動障子を備えるとともに、前記窓枠の上部位置に渦巻きバネ式のバランサー装置を配置し、このバランサー装置から繰り出された吊索によって前記可動障子を吊持した上げ下げ窓において、
前記可動障子の下端側両側部にそれぞれ、側方に突出して吊索係止部材を設けるとともに、前記吊索係止部材は、前記可動障子に固定されるロッド棒と、このロッド棒の先端に固定されるとともに、前記縦枠に形成された縦溝内に挿入されるワイヤーフック部材と、前記可動障子の建込み時には前記ロッド棒に沿ってスライド可能な状態とされ、かつ前記可動障子のセット状態では所定位置に固定され、該可動障子の左右方向及び室内外方向の振止めを成す振止めシューとからなることを特徴とする上げ下げ窓。
【請求項２】
前記振止めシューは、相対的に大径に形成された左右方向の振止め部と、相対的に小径に形成された室内外方向の振止め部とから構成され、前記左右方向の振止め部は、縦枠の縦溝を形成しているリップ片の外面側に近接することにより可動障子が左右方向に振れるのを防止し、前記室内外方向の振止め部は、縦框の縦溝に嵌め込まれ前記リップ片間に位置することにより室内障子が室内外方向に振れるのを防止するものである請求項１記載の上げ下げ窓。
【請求項３】
前記請求項１、２いずれかに記載の上げ下げ窓において、前記可動障子を窓枠内に建て込むための組立て方法であって、
前記可動障子の下端側両側部に設けられた吊索係止部材において、前記振止めシューをロッド棒に沿ってスライド可能な状態としておく第１手順と、
前記可動障子の吊索係止部材に対してバランサー装置から繰り出された吊索を係止させた状態で、可動障子を横向きとしながら前記吊索係止部材のワイヤーフック部材を縦枠の縦溝内に順に遣返しによって挿入し可動障子を窓枠内に建て込む第２手順と、
前記振止めシューをスライドさせ、可動障子の左右方向及び室内外方向の振止めを成す位置に固定する第３手順と、からなることを特徴とする上げ下げ窓の組立て方法。
【発明の詳細な説明】
【０００１】
【発明の属する技術分野】
本発明は、上下方向に開閉操作される障子を備えた上げ下げ窓において、特に障子の建込みを容易化するとともに、省力化を図った上げ下げ窓構造およびその組立て方法に関する。
【０００２】
【従来の技術】
従来より、上下方向に開閉操作される可動障子を備えた上げ下げ窓としては、渦巻きバネ式バランサーから繰り出された吊りワイヤによって可動障子を吊持し、障子重量と釣り合う平衡力を作用させるようにした渦巻きバネ式の上げ下げ窓が知られている。具体的には、図１０に示されるように、窓枠５０の上部位置にそれぞれ渦巻きバネ式バランサー５１，５１を配設するとともに、縦枠５０Ａ、５０Ｂ内に前記バランサー５１から繰り出された吊りワイヤ５２を係止させるスライダー５３，５３を設け、可動障子５５を窓枠５０内に建て込んだ後、可動障子５５の下端両側部に設けられたバー部材５４を側方に突出させて前記スライダー５３に連結し、該可動障子５５を吊持するようにし、障子重量と釣り合う平衡力を作用させるようにしている。
【０００３】
【特許文献１】
特開２０００−２４８８４３号公報
【０００４】
【発明が解決しようとする課題】
しかしながら、前述した上げ下げ窓構造の場合には、可動障子の建込みに当たり、スライダー５３を吊りワイヤ５２の張力に抗して予め引き下げておき、窓枠５０内に可動障子５５を嵌め込んでから可動障子５５の下端部に設けられたバー部材５４をスライダー５３に連結する手順によらなければならないため、スライダー５３を引き下げる者と、可動障子５５を窓枠５０内に嵌め込む者とが必要となり、建込みに複数の人員と多くの手間とを要するなどの問題があった。
【０００５】
このような問題を解決するために、上記特許文献１では、図１１に示されるように、可動障子５５の下端両側にそれぞれ、吊りワイヤ５２を支持する支持部材５６を可動障子５５の嵌め込みに邪魔にならない引込み位置から突出方向に突出移動調整可能に設けた上げ下げ窓が開示されている。この上げ下げ窓においては、可動障子５５を窓枠５０に嵌め込む前に、前記支持部材５６を引込み位置に位置決めした状態で吊りワイヤ５２を係止しておき、この状態のまま窓枠５０内に可動障子５５を嵌め込んだ後、前記支持部材５６を突出方向に移動させ、任意の突出位置でネジ止めにより固定するようにすることにより、従来複数の人員と手間が掛かった可動障子の建込みを省力化かつ容易化することが可能になる。
【０００６】
ところで、この種の上げ下げ窓においては可動障子は吊りワイヤによって吊持された状態であるため、室内外方向及び左右方向の振止めが必要とされる。図１０に示される従来の上げ下げ窓構造の場合にはバランサーを縦溝のリップ片に係合させる等の方法によって振止め機能を持たせるようにし、前記特許文献１の場合には、前記支持部材５６の幅寸法を縦枠の縦溝幅に相当する幅寸法とすることによって室内外方向の振止めを成し、前記支持部材５６の先端を縦溝の奥面に軽く接触させる程度に近接させることにより左右方向の振止めを成すようにしている。
【０００７】
しかしながら、前記特許文献１のような振止め構造を採用した場合、メーカー側において、窓寸法やタイプ毎に縦溝の開口幅が異なる複数種の窓タイプが用意されているケースでは、これらの窓型式毎に寸法を変えた前記支持部材５６を複数種用意しなければならず、コスト増を招くとともに、部品管理や施工が煩雑になるなどの問題があった。
【０００８】
そこで本発明の主たる課題は、従来複数の人員と手間が掛かった可動障子の建込みを省力化かつ容易化するとともに、縦枠断面形状の異なる種々の上げ下げ窓に対し対応可能とし汎用性のある振止め構造を提供することにある。
【０００９】
【課題を解決するための手段】
前記課題を解決するために請求項１に係る本発明として、上枠、下枠及び内面側に部材長手方向に沿って縦溝が形成された両縦枠からなる窓枠の内部に、上下方向に開閉可能な可動障子を備えるとともに、前記窓枠の上部位置に渦巻きバネ式のバランサー装置を配置し、このバランサー装置から繰り出された吊索によって前記可動障子を吊持した上げ下げ窓において、
前記可動障子の下端側両側部にそれぞれ、側方に突出して吊索係止部材を設けるとともに、前記吊索係止部材は、前記可動障子に固定されるロッド棒と、このロッド棒の先端に固定されるとともに、前記縦枠に形成された縦溝内に挿入されるワイヤーフック部材と、前記可動障子の建込み時には前記ロッド棒に沿ってスライド可能な状態とされ、かつ前記可動障子のセット状態では所定位置に固定され、該可動障子の左右方向及び室内外方向の振止めを成す振止めシューとからなることを特徴とする上げ下げ窓が提供される。
【００１０】
上記請求項１記載の本発明においては、可動障子に予め固定される吊索係止部材に対してワイヤーフック部材を設け、後述の請求項３に記載される手順に従って、ワイヤーフック部材に吊索を係止した状態で可動障子の建て込みを行うため、従来複数の人員と手間が掛かった可動障子の建込みを一人でできるようになり組立ての省力化かつ容易化を図ることが可能となる。また、ロッド棒に対してスライド可能な振止めシューを設け、可動障子の建込み後に、振止めシューをスライドさせ、可動障子の左右方向及び室内外方向の振止めを成す位置に固定するようにした。従って、可動障子の建込み時には待避位置に位置させることにより建て込みの障害とはならず、かつこの振止めシューのみを交換することにより、縦枠断面形状の異なる種々の上げ下げ窓に対し容易に対応可能となる。
【００１１】
請求項２に係る本発明として、前記振止めシューは、相対的に大径に形成された左右方向の振止め部と、相対的に小径に形成された室内外方向の振止め部とから構成され、前記左右方向の振止め部は、縦枠の縦溝を形成しているリップ片の外面側に近接することにより可動障子が左右方向に振れるのを防止し、前記室内外方向の振止め部は、縦框の縦溝に嵌め込まれ前記リップ片間に位置することにより室内障子が室内外方向に振れるのを防止するものである請求項１記載の上げ下げ窓が提供される。
【００１２】
請求項３に係る本発明として、前記請求項１、２いずれかに記載の上げ下げ窓において、前記可動障子を窓枠内に建て込むための組立て方法であって、
前記可動障子の下端側両側部に設けられた吊索係止部材において、前記振止めシューをロッド棒に沿ってスライド可能な状態としておく第１手順と、
前記可動障子の吊索係止部材に対してバランサー装置から繰り出された吊索を係止させた状態で、可動障子を横向きとしながら前記吊索係止部材のワイヤーフック部材を縦枠の縦溝内に順に遣返しによって挿入し可動障子を窓枠内に建て込む第２手順と、
前記振止めシューをスライドさせ、可動障子の左右方向及び室内外方向の振止めを成す位置に固定する第３手順と、からなることを特徴とする上げ下げ窓の組立て方法が提供される。
【００１３】
【発明の実施の形態】
以下、本発明の実施の形態について図面を参照しながら詳述する。
図１は渦巻きバネ式バランサー装置を備える上げ下げ窓の正面図、図２は図１のＩＩ−ＩＩ線矢視図、図３は図１のＩＩＩ−ＩＩＩ線矢視図である。
【００１４】
図示される上げ下げ窓１は、方形枠状に構成された窓枠２の内部に、縦枠２Ａ、２Ｂに沿って昇降自在とされる室内側障子３（以下、可動障子という。）と、固定式室外側障子４とを備え、前記縦枠２Ａ、２Ｂの上部に渦巻きバネ式バランサー装置５、５が設けられるとともに、この渦巻きバネ式バランサー装置５，５から繰り出された吊りワイヤ５ａが可動障子３の下端側側部に突出して設けられた吊索係止部材６に係止され可動障子３を吊持している。この渦巻きバネ式バランサー装置５は、内設された渦巻きバネにより前記障子３の重力と力学的に平衡関係を保ち、前記可動障子３を小さな力で簡単に開閉できるようになっているとともに、任意の高さ位置に停止できるようになっている。なお、前記室外側障子についても同様に、上下方向に開閉可能の可動障子とし、別途設けた渦巻きバネ式バランサー装置５により吊持することができる。
【００１５】
前記吊索係止部材６は、詳細には図４に示されるように、可動障子３の下框３Ｄに固定ネジ１３等の締結手段によって固定されるロッド棒１０と、このロッド棒１０の先端に固定されるワイヤーフック部材１１と、前記可動障子３の建込み時には前記ロッド棒１０に沿ってスライド可能な状態とされ、かつ前記可動障子３のセット状態では所定位置に固定される振止めシュー１２とから構成されている。
【００１６】
前記ロッド棒１０は断面矩形状の例えばステンレス等からなる棒部材であって、図３に示すように、可動障子３の下框３Ｄに形成された矩形状のリップ状溝３ｄに対して端面側から挿入され、基端側に形成されたネジ孔１０ａを通して挿入された固定ネジ１３によって移動不能に固定される。なお、前記ロッド棒１０の断面形状および材質は上記例には限定されず、所要の強度を有すれば断面形状および材質は問わない。
【００１７】
前記ロッド棒１０の前端部には雌ネジ孔１０ｃが形成され、この雌ネジ孔１０ｃに螺入される固定ネジ１４によって前記ワイヤーフック部材１１が固定されている。このワイヤーフック部材１１は、前記ロッド棒１０が貫通される通孔１１ａが形成された小片部材で、下面側にはネジ設置用凹部１１ｃが形成されるとともに、この底面より前記通孔１１ａに連通する通孔１１ｂが形成されている。また、先端部には、吊りワイヤ５ａを係止するためのフック部１１Ａが形成されている。このフック部１１Ａは、図５にも示されるように、正面視形状が円形を成すとともに、その外周に吊りワイヤ５ａのリング部５ｂを回動可能に引っ掛けるための環状溝１１ｄが形成されている。このようにワイヤ係止部を環状溝状に形成するのは、前記可動障子３を掃除のために吊索係止部材６を軸として室内側に傾倒させる際、吊りワイヤ５ａに応力的な負担を掛けずに可動障子３を回転させるためである。
【００１８】
前記ワイヤフック部材１１をロッド棒１０に固定するには、ワイヤフック部材１１に形成された通孔１１ａ内にロッド棒１０の先端を差込み、ロッド棒１０の雌ネジ孔１０ｃと、通孔１１ｂとを位置合わせした状態で固定ネジ１４を螺入し、両者を堅固に固定するようにする。
【００１９】
一方、振止めシュー１２は、相対的に大径に形成された左右方向の振止め部１２Ａと、相対的に小径に形成された室内外方向の振止め部１２Ｂとから構成されている。また、前記振止め部１２Ａ、１２Ｂとを貫通する方向に前記ロッド棒１０が貫通される通孔１２ａが形成されるとともに、下面側にはネジ設置用凹部１２ｂが形成されるとともに、この底面より前記通孔１２ａに連通する通孔１２ｃが形成されている。
【００２０】
可動障子３のセット状態では、同図に示されるように、固定ネジ１５が前記通孔１２ｃより挿入され、ロッド棒１０の雌ネジ孔１０ｂに螺入されることにより振止めシュー１２が可動障子３の左右方向及び室内外方向の振止めを成す位置に固定されるようになっている。すなわち、前記左右方向の振止め部１２Ａは、縦枠２Ａ（２Ｂ）の縦溝２ａ（２ｂ）を形成しているリップ片２ｃ、２ｃの外面側に近接し可動障子３が左右方向に振れるのを防止するとともに、前記室内外方向の振止め部１２Ｂは、縦枠２Ａ（２Ｂ）の縦溝２ａ（２ｂ）に嵌め込まれ、前記リップ片２ｃ、２ｃ間に位置することにより可動障子３が室内外方向に振れるのを防止するようになっている。
【００２１】
なお、図示例では振止めシュー１２の固定位置に合わせて、ロッド棒１０に振止めシュー１２の固定のための雌ネジ孔１０ｂを形成したが、図９に示されるように、ロッド棒１０に雌ネジ孔１０ｂを形成することなく、振止めシュー１２の通孔１２ｃを雌ネジ孔とし、固定ネジ１５の先端面をロッド棒１０の表面に当接させることにより移動不能に固定するようにしてもよい。この場合は、任意の位置に振止めシュー１２を固定できるようになる。
【００２２】
かかる上げ下げ窓１において、前記可動障子３を窓枠２内に建て込んで組立てを行うには、図６に示されるように、先ず可動障子３の下端側両側部に設けられた吊索係止部材６、６において、振止めシュー１２をロッド棒１０に沿ってスライド可能な状態としておく。次いで、図７に示されるように、可動障子３の吊索係止部材６、６に対してバランサー装置５、５から繰り出された吊りワイヤ５ａを係止させた状態で該可動障子３を横向きとしながら前記吊索係止部材６のワイヤーフック部材１１を縦枠２Ａ、２Ｂの縦溝２ａ、２ｂ内に順に遣返し（横ケンドン方式）によって挿入し可動障子３を窓枠２内に建て込むようにする。その後、図８に示されるように、前記振止めシュー１２を縦枠２Ａ、２Ｂ方向にスライドさせ、固定ネジ１５により可動障子３の左右方向及び室内外方向の振止めを成す位置に固定するようにする。
【００２３】
本振止め構造の場合は、前記吊索係止部材６においては、前記左右方向の振止め部１２Ａおよび相対的に小径に形成された室内外方向の振止め部１２Ｂの寸法を異ならせた振止めシュー１２を複数種用意しておくことにより、ロッド棒１０やワイヤフック部１１を共通に使用しながら、縦枠断面形状の異なる種々の上げ下げ窓に対し容易に対応可能となる。
【００２４】
ところで、本上げ下げ窓１においては、図１に示されるように、前記可動障子３の上框の両側にそれぞれ縦枠２Ａ、２Ｂの縦溝２ａ、２ｂへのスライド操作によって係脱自在とされる係合バーを備える係合金具７，７が設けられ、前記係合バーを縦溝２ａ、２ｂから離脱することにより、前記吊索係止部材６を回転軸として可動障子３を室内側に傾倒可能となっている。また、可動障子３の上框にはクレセント錠８が設けられ、固定式室外側障子４にクレセント受け（図示せず）が設けられ、施錠を成すようになっている。
【００２５】
【発明の効果】
以上詳説のとおり本発明によれば、従来複数の人員と手間が掛かった可動障子の建込みを一人でできるようになり、組立ての省力化かつ容易化を図れるようになる。また、ロッド棒に対してスライド可能な振止めシューを設け、可動障子の建込み後に、振止めシューをスライドさせ、可動障子の左右方向及び室内外方向の振止めを成す位置に固定する振止め構造を採用した。従って、可動障子の建込み時には障害とはならず、かつこの振止めシューのみを交換することにより、縦枠断面形状の異なる種々の上げ下げ窓に対し容易に対応可能となる。
【図面の簡単な説明】
【図１】渦巻きバネ式バランサー装置を備える上げ下げ窓の正面図である。
【図２】図１のＩＩ−ＩＩ線矢視図である。
【図３】図１のＩＩＩ−ＩＩＩ線矢視図である。
【図４】（Ａ）は吊索係止部の拡大側面図、（Ｂ）はその平面図である。
【図５】図４（Ａ）のＶ−Ｖ線矢視図である。
【図６】可動障子３の建て込み手順（その１）を示す図である。
【図７】可動障子３の建て込み手順（その２）を示す図である。
【図８】可動障子３の建て込み手順（その３）を示す図である。
【図９】振止めシュー１２の他例を示す吊索係止部の側面図である。
【図１０】従来の上げ下げ窓を示す正面図である。
【図１１】従来の吊索係止部を示す要部拡大側面図である。
【符号の説明】
１…上げ下げ窓、２…窓枠、２Ａ・２Ｂ…縦枠、３…室内側障子（可動障子）、４…室外側障子、５…渦巻きバネ式バランサー装置、５ａ…吊りワイヤ（吊索）、６…吊索係止部材、１０…ロッド棒、１１…ワイヤーフック部材、１２…振止めシュー、１２Ａ…左右方向の振止め部、１２Ｂ…室内外方向の振止め部
【図１】
2004232217.tif 000003
【図２】
2004232217.tif 000004
【図３】
2004232217.tif 000005
【図４】
2004232217.tif 000006
【図５】
2004232217.tif 000007
【図６】
2004232217.tif 000008
【図７】
2004232217.tif 000009
【図８】
2004232217.tif 000010
【図９】
2004232217.tif 000011
【図１０】
2004232217.tif 000012
【図１１】
2004232217.tif 000013